(57)【要約】【課題】打抜き機又はストリッピング機からバッチ搬出される製品シートに付着する紙粉、糸状屑、及び製品内部の屑、紙粉を確実且つ効果的に除去することが出来る方法及び除去装置を提供する。【解決手段】バッチ搬出される紙製打抜き製品シートを、起立状態に姿勢を変えて搬送し、その搬送中に積層状態を解いて１枚づつに引き離し、空気を吹き付け、且つ上下方向に振動させて製品シート間に介在する紙粉、糸状屑或いは打抜き屑を除去し、更に製品シートを再び接合させて起立積層状態とし、その状態で摩擦片又は吸い込み手段の間を通過させて該製品シートの上下端面及び左右端面の紙粉、糸状屑を除去する。【選択図】      図１
2004216478.tif 000002
【特許請求の範囲】
【請求項１】
段ボール紙や板紙等から打抜いた製品シートに付着する紙粉及び製品シート内に残存する打抜き屑を除去する紙製打抜き製品の紙粉・打抜き屑除去方法であって、
（ａ）水平積層状態で搬入された打抜き製品シートを、起立状態に変換して搬送する起立搬送工程と、
（ｂ）前記起立搬送工程中に、積層された打抜き製品シートを１枚づつに分離する分離工程と、
（ｃ）分離した打抜き製品シートに対し、空気を吹き付けて該製品シートの表裏面に付着する紙粉を除去する工程と、
（ｄ）分離した打抜き製品シートを所定枚数接合整列させ、その状態で該製品シートの左右及び上下の各端面に付着する紙粉を除去する工程と、
（ｅ）紙粉・打抜き屑を除去した製品シートを、再度、水平積層状態に変換して、定置式屑・紙粉除去装置に供給し、製品シート内に残存する屑を打抜き、且つ打抜き時の紙粉をブロワ―で除去する工程と、
からなり、前記工程が連続して行なわれることを特徴とする紙製打抜き製品の紙粉・打抜き屑除去方法。
【請求項２】
前記空気の吹付け時、該空気にマイナスイオンを混入することを特徴とする請求項１記載の紙製打抜き製品の紙粉・打抜き屑除去方法。
【請求項３】
前記水平積層状態で搬入される打抜き製品シートが、印刷面を上にして搬入された場合は、反転させてから起立状態に変換することを特徴とする請求項１又は２記載の紙製打抜き製品の紙粉・打抜き屑除去方法。
【請求項４】
段ボール紙や板紙等から打抜いた製品シートに付着する紙粉及び製品シート内に残存する打抜き屑を除去する紙製打抜き製品の紙粉・打抜き屑除去装置であって、
（ａ’）水平積層状態で搬入された打抜き製品シートを、起立状態に変換して搬送する起立搬送手段と、
（ｂ’）前記起立搬送手段の前半部に配置した、積層された打抜き製品シートを１枚づつに分離する分離手段と、
（ｃ’）分離した打抜き製品シートに対し、空気を吹き付けて該製品の表裏面に付着する紙粉を除去する空気吹付け手段と、
（ｄ’）前記分離手段より下流側に配置した、打抜き製品シートを所定枚数接合整列させる整列手段と、
（ｅ’）整列した製品シートの左右及び上下の各端面に付着する紙粉を落下除去する紙粉除去手段と、
（ｆ’）紙粉・打抜き屑を除去した製品シートを、再度、水平積層状態に変換して搬出する搬出移送手段と、
からなり、前記製品シートの水平搬入から紙粉除去後の水平搬出までを連続して自動的に行なうことを特徴とする紙製打抜き製品の紙粉・打抜き屑除去装置。
【請求項５】
前記起立搬送手段は、無端回動する複数本並列の無端帯の外周面に、製品シート支持杆が周方向に等間隔をおいて起立固着され、その回動方向に沿う前後２本の製品シート支持杆の間に打抜き製品シートが収容支持されるものである請求項４記載の紙製打抜き製品の紙粉・打抜き屑除去装置。
【請求項６】
前記分離手段は、前記起立搬送手段の無端帯と、その無端帯の回動方向に沿ってその内側又は外側位置に、該無端帯の搬送面より上方に突出させて配置した無端回動帯とからなり、該無端回動帯の回動速度は前記起立搬送手段の無端帯の回動速度より速くし、この速度差により積層された打抜き製品シートを１枚づつに引き離し分離することを特徴とする請求項４記載の紙製打抜き製品の紙粉・打抜き屑除去装置。
【請求項７】
前記分離手段は、前記起立搬送手段の搬送面より、搬送方向前方に向けて上向きに傾斜突出する傾斜ベルトコンベアと、その傾斜ベルトコンベアのベルト表面より上方に突出する駆動回転ローラとからなり、該駆動回転ローラの周速度は傾斜ベルトコンベアの速度より速くし、この速度差により積層された打抜き製品シートを１枚づつに引き離し分離することを特徴とする請求項４記載の紙製打抜き製品の紙粉・打抜き屑除去装置。
【請求項８】
前記紙粉除去手段は、起立搬送手段の搬送路を挟む位置に対向配置した側面部除去手段と、搬送路の上方に配置した上面部除去手段と、搬送路に配置した下面部除去手段とからなり、各除去手段は、弾性を有した小幅の摩擦片をベース材に固着して構成されていることを特徴とする請求項４記載の紙製打抜き製品の紙粉・打抜き屑除去装置。
【請求項９】
前記紙粉除去手段は、起立搬送手段の搬送路を挟む位置に対向配置した側面部除去手段と、搬送路の上方に配置した上面部除去手段と、搬送路に配置した下面部除去手段とからなり、各除去手段は、製品シートの端面と対向して吸引力を生じる吸引口に、該製品シートの端面に当接する回転ブラシを備えていることを特徴とする請求項４記載の紙製打抜き製品の紙粉・打抜き屑除去装置。
【請求項１０】
前記紙粉除去手段を構成する側面部除去手段と、上面部除去手段は、供給される打抜き製品シートのサイズに応じて幅方向及び上下方向に移動調整自在である請求項８又は９記載の紙製打抜き製品の紙粉・打抜き屑除去装置。
【請求項１１】
前記打抜き製品シートを水平積層状態で搬送する搬送手段と起立搬送手段との間に、積層製品シートを反転させる反転機構が配置されていることを特徴とする請求項４記載の紙製打抜き製品の紙粉・打抜き屑除去装置。
【請求項１２】
前記反転機構は、前記搬送手段を前方下向きに倒す倒伏手段と、前方下向きに倒れた搬送手段に支持されている打抜き製品シートを、搬送手段から押し倒して前記起立搬送手段の支持杆上に反転移行させる押出し手段とで構成されていることを特徴とする請求項１１記載の紙製打抜き製品の紙粉・打抜き屑除去装置。
【請求項１３】
前記搬出移送手段の下流側に、製品シート内に残存する屑を打抜き、且つ打抜き時の紙粉をブロワ―で除去する定置式屑・紙粉除去装置を配置し、前記起立搬送手段への打抜き製品シートの搬入から定置式屑・紙粉除去装置からの搬出までが連続して自動的に行なわれることを特徴とする請求項４記載の紙製打抜き製品の紙粉・打抜き屑除去装置。
【発明の詳細な説明】
【０００１】
【発明の属する技術分野】
本発明は、段ボール紙や板紙等に、箱の展開形状及び各種形状の孔等を打抜き形成した時生じる糸状の紙粉、打抜き屑を除去する方法及びその除去装置に関する。
【０００２】
【従来の技術】
段ボール紙や板紙等で構成される組立箱は、矩形状の段ボール紙や板紙等から製品の展開形状を打抜いて形成される。
そして、前記打抜きは平板に打抜き刃（ストレート刃、ウエーブ刃）を植え込んだ平面打抜き型、或いは半円筒形合板に打抜き刃（ストレート刃、ウエーブ刃）を植え込んだ円筒形抜き型で打抜かれるが、同一動作を繰り返し行なっていると、前記抜き型に植え込み固定した打抜き刃の刃先が摩耗して平坦面となる。その摩耗した打抜き刃で打抜くと、面切断で製品を打抜く為に切断面に紙粉、紙の糸状屑が発生することになる。そして、紙粉、紙の糸状屑はその打抜かれる製品の外周縁等（製品の外形縁、孔縁、溝縁等）に付着している。しかも、この紙粉、紙の糸状屑は打抜き工程の次の工程で、ストリッピング装置（抜き屑落し）によって製品と周囲の屑とに分離しても、製品シートの外周縁に付着したままとなる。
【０００３】
ところで、打抜かれた製品の外周縁に付着する紙粉、紙の糸状屑は著しく製品価値を低下させると共に、打抜いた製品を自動製函機にかけた場合、紙粉及び紙の糸状屑が駆動部等に入り込むなどしてトラブルを発生するなどの問題を有する。特に、最近は段ボールケースにおける紙粉・紙片の混入が問題となっている。
【０００４】
その為、従来はストリッピング後のバッチ搬出（２５枚、５０枚）される製品シートを、作業者が手作業で１枚づつに引き離しながら叩いて製品シート間に挟まれている紙粉や抜き屑を落とし、これをパレット上に積み重ね、その積み重ねた製品の外周を刷毛、或いはモップ等で擦って製品シートの外周縁に付着している紙粉、紙の糸状屑を除去している。
【０００５】
しかしながら、前記した刷毛、或いはモップによる手作業では段積みされた製品シートの外周縁しか擦ることができず、製品シートの内部に形成された孔、或いは外周縁から内部に延びる溝に付着した紙粉、紙の糸状屑は前段の引き離し叩き作業でも取除くことができない。尚、ブラシによる紙粉、糸状屑の除去は前記した手作業の他に機械的に駆動する２本のロールブラシの間に通して除去する手段もあるが、この場合も、孔縁、溝縁等に付着した紙粉、糸状屑は除去し得ないものである。
尚、上記した従来技術に関する技術文献の存在は不知である。
【０００６】
【発明が解決しようとする課題】
本発明は、上記した従来の技術が有する問題点に鑑みてなされたもので、その目的とするところは、打抜き機又はストリッピング機からバッチ搬出される製品シートに付着する紙粉、糸状屑、及び抜き屑を確実且つ効率良く除去することが出来る方法及び除去装置を提供することにある。
【０００７】
【課題を解決するための手段】
上記目的を達成する為に本発明が講じた紙粉・打抜き屑除去方法は、バッチ搬出される紙製打抜き製品シートを、起立状態に姿勢を変えて搬送し、その搬送中に積層状態を解いて１枚づつに引き離し、空気を吹き付けて製品シート間に介在する紙粉、糸状屑或いは打抜き屑を除去し、更に製品シートを再び接合させて起立積層状態とし、その状態で摩擦部材からなる紙粉除去手段の間を通過させて該製品シートの上下端面及び左右端面の紙粉、糸状屑を除去するようにした。
具体的には、
（ａ）水平積層状態で搬入された打抜き製品シートを、起立状態に変換して搬送する起立搬送工程と、
（ｂ）前記起立搬送工程中に、積層された打抜き製品シートを１枚づつに分離する分離工程と、
（ｃ）分離した打抜き製品シートに対し、空気を吹き付けて該製品シートの表裏面に付着する紙粉を除去する工程と、
（ｄ）分離した打抜き製品シートを所定枚数接合整列させ、その状態で該製品シートの左右及び上下の各端面に付着する紙粉を除去する工程と、
（ｅ）紙粉・打抜き屑を除去した起立積層状態の製品シートを、再度、水平積層状態に変換して、定置式屑・紙粉除去装置に供給し、製品シート内に残存する屑を打抜き、且つ打抜き時の紙粉をブロワ―で除去する工程と、
からなり、前記工程が連続して行なわれることを特徴とする（請求項１）。
上記方法により、バッチ搬出された製品シートの外周縁に付着する紙粉や糸状屑は勿論のこと、製品シートの内部に存在する各種形状の孔や溝の縁に付着する紙粉、糸状屑を確実に除去できる。
【０００８】
前記方法における空気の吹付け工程において、該空気にイオンを混入して吹付けてもよい（請求項２）。イオンを含んだ空気を製品シートに吹き付けた場合は、静電気を除去でき、製品シートにゴミや埃が静電気で付着するのを防止できる。
又、本方法を実施して次工程（例えば、自動製函機による組立工程）に送られる製品シートは、印刷面を上側に向けて移動されるのが一般的である。その為、本方法を実施してバッチ搬出される製品シートは、印刷面が上側となるようにする必要がある。そこで、本方法にかける製品シートは印刷面を下側に向けて搬入（通称：ボトム印刷）し、印刷面が上側を向いた搬入（通称：トップ印刷）は、起立搬送工程への移行過程において反転するようにする（請求項３）。それにより、本方法を実施してバッチ搬出される製品シートは、常に印刷面を上側に向けて搬出でき、次工程への移行をスムーズに行なうことができる。
【０００９】
上記方法を実施するための装置は、
（ａ’）水平積層状態で搬入された打抜き製品シートを、起立状態に変換して搬送する起立搬送手段と、
（ｂ’）前記起立搬送手段の前半部に配置した、積層された打抜き製品シートを１枚づつに分離する分離手段と、
（ｃ’）分離した打抜き製品シートに対し、空気を吹き付けて該製品の表裏面に付着する紙粉を除去する空気吹付け手段と、
（ｄ’）前記分離手段より下流側に配置した、打抜き製品シートを所定枚数接合整列させる整列手段と、
（ｅ’）整列した製品シートの左右及び上下の各端面に付着する紙粉を落下除去する紙粉除去手段と、
（ｆ’）紙粉・打抜き屑を除去した製品シートを、再度、水平積層状態に変換して搬出する搬出手段と、
からなり、前記起立搬送手段への打抜き製品シートの搬入から紙粉除去装置からの搬出までが連続して自動的に行なわれることを特徴とする（請求項４）。起立搬送手段へ製品シートを送り込む水平搬入手段は、細幅のベルトを複数本、搬送方向に沿って平行に架設したコンベアで、後段の起立搬送手段における製品シート支持杆が前記水平搬入手段のベルト間に嵌入して製品シートを支持杆で支持する。
この構成により、製品シートをバッチ搬入するだけで、積層された製品シートは自動的に１枚づつに分離され、製品シートの内部に存在する溝、孔等の縁に付着する紙粉や糸状屑を確実に除去することができる。
【００１０】
前記水平搬入手段で送り込まれる製品シートを起立状態に変換する起立搬送手段は、無端回動する複数本並列の無端帯（チェーン、ベルト等）の外周面に、製品シート支持杆を周方向に等間隔をおいて起立固着し、その回動方向に沿う前後２本の製品シート支持杆の間に打抜き製品シートを収容支持する構成とする（請求項５）。
又、前記分離手段は、前記分離手段は、前記起立搬送手段の無端帯と、その無端帯の回動方向に沿ってその内側又は外側位置に、該無端帯の搬送面より上方に突出させて配置した無端回動帯とからなり、該無端回動帯の回動速度は前記起立搬送手段の無端帯の回動速度より速くし、この速度差により積層された打抜き製品シートを１枚づつに引き離し分離する構成（請求項６）、或いは前記起立搬送手段の搬送面より、搬送方向前方に向けて上向きに傾斜突出する傾斜ベルトコンベアと、その傾斜ベルトコンベアのベルト表面より上方に突出する駆動回転ローラとからなり、該駆動回転ローラの周速度は傾斜ベルトコンベアの速度より速くし、この速度差により積層された打抜き製品シートを１枚づつに引き離し分離する構成とする（請求項７）。尚、この分離手段は、速度差を利用した方式に限らず、他の方式でもよい。
【００１１】
更に、前記紙粉除去手段は、起立搬送手段の搬送路を挟む位置に対向配置した側面部除去手段と、搬送路の上方に配置した上面部除去手段と、搬送路に配置した下面部除去手段とで構成し、その各除去手段を、弾性を有した小幅の摩擦片をベース材に固着して構成する（請求項８）。
又、紙粉除去手段は、起立搬送手段の搬送路を挟む位置に対向配置した側面部除去手段と、搬送路の上方に配置した上面部除去手段と、搬送路に配置した下面部除去手段とで構成し、その各除去手段を、製品シートの端面と対向して吸引力を生じる吸引口に、該製品シートの端面に当接する回転ブラシを備えた構成としてもよい（請求項９）。これにより、製品シートの外周縁に付着した紙粉、糸状屑を大気中に飛散させることなく効果的に除去できる。
そして、前記紙粉除去手段を構成する側面部除去手段と、上面部除去手段は、供給される打抜き製品シートのサイズに応じて幅方向及び上下方向に移動調整自在とする（請求項１０）。それにより、紙粉除去手段を製品シートの形状に対応して効果的に除去できる位置に移動調整できる。
【００１２】
又、前記打抜き製品シートを水平積層状態で搬送する搬送手段と起立搬送手段との間に、積層製品シートを反転させる反転機構を配置してもよい（請求項１１）。
そして、その反転機構は、前記搬送手段を前方下向きに倒す倒伏手段と、前方下向きに倒れた搬送手段に支持されている打抜き製品シートを、搬送手段から押し倒して前記起立搬送手段の支持杆上に反転移行させる押出し手段とで構成することができる（請求項１２）。この反転機構を装備した場合は、バッチ搬入される製品シートが、印刷面を上側に向けて搬入されても、本装置から搬出される時は、印刷面を下側に向けて搬入される製品シートの搬出形態（印刷面上側）と同じ状態で搬出することが出来る。
【００１３】
また、前記した紙粉除去装置はこれを独立して使用してもよいが、他の装置とドッキングさせて使用することも出来る。例えば、前記紙粉除去装置における移送手段の下流側に、上・下型により製品シート内に残存する屑を打抜き、且つ打抜き時の紙粉をブロワ―で除去する定置式屑・紙粉除去装置を配置し、前記起立搬送手段への打抜き製品シートの搬入から定置式屑・紙粉除去装置からの搬出までが連続して自動的に行なわれるようにしてもよい（請求項１３）。この場合は、製品の高品質化を効率良く行なうことが出来る。
【００１４】
【発明の実施の形態】
以下、本発明の実施の形態の一例を図面に基づいて説明する。
段ボールケース等の組立箱は、段ボール紙や厚板紙等の材料から目的の組立箱の展開形状を打抜き、その打抜いた製品シートを組み立てることで形成される。そして、前記製品シートの打抜きは、材料の板紙を平盤打抜き機やロータリーダイカッターで打抜き、打抜き後製品部分外側の屑及び製品内部に加工された各種形状の孔、溝の屑を除去して完成される。
ところで、前記打抜きによって製品シートの外周縁や製品内部に形成される各種形状の孔、溝等の部分に紙粉や糸状屑が発生する。この、紙粉及び糸状屑を機械力によって効率良く自動的に除去する方法を提案する。
【００１５】
その方法は、打抜きを完了し外周の屑、及び製品内部の屑を落とした製品シートは所定枚数（一般的には２５枚、又は５０枚）が段積み（水平積層）されてバッチ搬出されるが、その水平状態でバッチ搬出される打抜き製品シートを搬送しながら、該製品シートの表裏面、及び外周縁、製品内部の孔や溝の打抜き縁に付着する紙粉や糸状屑、更には製品シート相互間に挟まれている屑等を除去する。
【００１６】
具体的には、バッチ搬出される打抜き製品シートを、以下の工程を連続して通過させて処理する。
（ａ）水平積層状態（バッチ形態）で搬入された打抜き製品シートを、起立状態に変換して搬送する起立搬送工程と、
（ｂ）前記起立搬送工程中に、積層された打抜き製品シートを１枚づつに分離する分離工程と、
（ｃ）分離した打抜き製品シートに対し、空気を吹き付けて該製品シートの表裏面に付着する紙粉を除去する工程と、
（ｄ）分離した打抜き製品シートを所定枚数接合整列させ、その状態で該製品シートの左右及び上下の各端面に付着する紙粉を除去する工程と、
（ｅ）紙粉・打抜き屑を除去した製品シートを、再度、水平積層状態に変換して、定置式屑・紙粉除去装置に供給し、製品シート内に残存する屑を打抜き、且つ打抜き時の紙粉をブロワ―で除去する工程、
で構成されている。
【００１７】
そして、最終の定置式屑・紙粉除去装置から搬出される製品シートは、次の工程の処理との関係から製品シートに施されている印刷面が上側に向けて搬出されるようにする。その為に、前記起立搬送工程に搬入される製品シートの搬入形態が正規（印刷面が下向き：ボトム印刷）と異なる場合は、起立搬送工程への移行途中に製品シートを反転する必要がある。即ち、製品シートが印刷面を上側に向けて搬入（トップ印刷）された場合は、起立搬送工程に移行する前に反転処理する。
【００１８】
起立搬送工程で起立させ、分離工程で１枚づつに引き離し分離した製品シートに吹き付ける空気は、空気のみでもよいが、空気にイオンを含ませて吹付け、静電気防止対策を講じてもよい。そして、この空気吹付け工程は、起立搬送される製品シートに対して上下方向からのみならず、左右方向から吹付けるようにしてもよい。
又、引き離し分離した製品シートを接合整列させた後、製品シートの左右側端面、上下端面の紙粉除去（摺擦、又は吸引）を行なうが、その順番は限定されない。例えば、左右端面の紙粉除去→上下端面の紙粉除去、の順番で処理する。
更に、紙粉除去工程においては、製品シートの端面に付着する紙粉・糸状屑の除去を効果的に行なう為に、表面がざらざらした摩擦片に擦りつけながら移動させて除去したり、吸引の吸込み口に回転ブラシを配置し、回転ブラシの回転で紙粉・糸状屑を製品シートから積極的に引き剥がし、その引き剥がした紙粉・糸状屑を吸引力で吸引除去するようにしてもよい。
【００１９】
以下、上記した紙粉・糸状屑除去方法の実施に使用する装置について図面を参照しながら説明する。
図１は紙粉・打抜き屑除去装置Ａの第１実施例を示す概略図である。
紙粉・糸状屑除去装置Ａは、打抜き機（図示省略）からバッチ搬出される打抜き製品シートａを受け取り本装置に移送搬入する水平搬入手段Ａ１と、前記搬入手段Ａ１で水平搬入された製品シートａを起立状態に変換して搬送する起立搬送手段Ａ２と、その起立搬送手段Ａ２の前半部に配置し、搬送される製品シートを１枚づつに分離する分離手段Ａ３と、分離した打抜き製品シートに対して空気を吹き付けて該製品シートの表裏面に付着する紙粉を除去する空気吹付け手段Ａ４と、１枚づつに分離した製品シートを所定枚数接合整列させる整列手段Ａ５と、その整列積層した製品シートの左右及び上下の各端面に付着する紙粉を除去する紙粉除去手段Ａ６と、紙粉及び打抜き屑を除去した製品シートを水平積層状態に変換して搬出する搬出手段Ａ７とで構成され、前記した水平搬入手段Ａ１〜搬出手段Ａ７はケース１００内に収容されている。
【００２０】
水平搬入手段Ａ１は、細幅のタイミングベルト１０４，１０４’を複数本（図面は２本）、ベルトの幅方向に間隔をおいて平行に架設したベルトコンベアで、ケース１００の一側に開設した搬入口１０２に臨んで片持ち状態で水平に設置されている。尚、水平搬入手段Ａ１の手前側には打抜き機の搬出口からバッチ搬出される打抜き製品シートａが本装置の前記水平搬入手段へスムーズに乗り移り移行するように、製品シートａの幅方向を揃える整列手段１０３ａを備えたローラ１０３が設置されている。
そして、この水平搬入手段Ａ１に供給される打抜き製品シートａは、シートに施された印刷面を下側に向けて搬入される。
又、前記２本のタイミングベルト１０４，１０４’の回動方向先端側にはストッパが起伏回動自在に設置されている。このストッパは、搬入された製品シートａを反転させる時、該製品シートが水平搬入手段Ａ１から落下しないように支持するもので、上記したように印刷面を下側に向けて製品シートが搬入される場合は、該製品シートａを反転させる必要が無いため、このストッパは不要である。
【００２１】
前記水平搬入手段Ａ１によって水平搬送される積層状態の製品シートは、紙粉・糸状屑等を除去する為に起立状態に姿勢を変換して搬送する。その姿勢の変換は水平搬入手段Ａ１の下流側に近接配置した起立搬送手段Ａ２によって行なわれる。
その起立搬送手段Ａ２は、駆動スプロケット１０５と従動スプロケット１０５’とに亘って２本のチェーン１０６，１０６’を巻回し、そのチェーン１０６，１０６’の外周面に、周方向に沿って等間隔をおいて起立固定した製品シート支持杆１０７，１０７’で構成されている。
【００２２】
上記製品シート支持杆１０７，１０７’を固着したチェーン１０６，１０６’は、前記した水平搬入手段Ａ１を構成する２本のベルト１０４，１０４’の間に位置するように配置し、そのチェーン１０６，１０６’の外周面に、所定の長さを有した製品シート支持杆１０７，１０７’が該チェーンの回動方向に沿って等間隔をおいて起立固定され、更にその製品シート支持杆１０７，１０７’の下端には製品シートａの下端面を支持する支持板１０７ａ，１０７ａ’がチェーン１０６，１０６’の回動方向に向けて水平に張り出し固着されている。
支持板１０７ａ，１０７ａ’の張り出し長さは、１回に積層供給される製品シートを一括して支持できる長さである。
それにより、チェーン１０６，１０６’の回動により製品シート支持杆１０７，１０７’は水平搬入手段Ａ１を構成する並設されたタイミングベルト１０４，１０４’の間を下から上へと回動通過する。この水平搬入手段Ａ１の搬送面から上方に回動しながら突出する時、水平搬入手段Ａ１上に支持された製品シートは製品シート支持杆１０７，１０７’で持ち替えられ、製品シートａの搬送方向先端側が製品シート支持杆１０７，１０７’の基部側に固着された支持板１０７ａ，１０７ａ’との接触点を支点として上方に起立回動される。即ち、タイミングベルト１０４，１０４’と製品シート支持杆１０７，１０７’を起立固着したチェーン１０６，１０６’の働きで、水平搬入された製品シートはチェーン１０６，１０６’に起立固着した回動方向に沿う製品シート支持杆１０７，１０７、１０７’，１０７’間に略鉛直状に支持され、チェーン１０６，１０６’の回動で起立状態のまま前方に向けて搬送される。
【００２３】
前記製品シート支持杆１０７，１０７’は、前記水平搬入手段Ａ１で水平搬送される積層状態の製品シートａの搬送方向の長さに対して少なくとも半分以上の長さを有し、それにより水平状態の製品シートの最下部を支えて起立反転し得るように構成されている。尚、製品シート支持杆１０７，１０７’はチェーン１０６，１０６’の一周面上に各１２本が等間隔に配置され、且つチェーン１０６とチェーン１０６’の製品シート支持杆１０７，１０７’は同一線上に位置するように配置されている。
【００２４】
又、前記した起立搬送手段Ａ２の始端側には積層して起立搬送される製品シートａを１枚づつに分離する分離手段Ａ３、及び始端側上方位置に空気吹付け手段Ａ４が配置されている。
この分離手段Ａ３は、前記起立搬送手段Ａ２におけるチェーン１０６，１０６’の内側に配置した２本の平行なベルトコンベア１０８，１０８’で構成されている。
その２本のベルトコンベア１０８，１０８’は、前記起立搬送手段Ａ２のチェーン１０６，１０６’を回動する始端側の駆動スプロケット１０５の頂点付近から搬送方向に向かい全長の約１／３の区間に配置されている。そして、その２本のベルトコンベア１０８，１０８’の搬送面（往路側表面）は前記起立搬送手段Ａ２の支持板１０７ａ，１０７ａ’の表面より僅か上方に突出させて設置されると共に、始端側は支持板１０７ａ，１０７ａ’より僅か下側に位置し、緩やかな傾斜で支持板１０７ａ，１０７ａ’上に突出するように構成されている、更に、この２本のベルトコンベア１０８，１０８’の回動速度は、前記起立搬送手段Ａ２のチェーン１０６，１０６’の回動速度より速く（例えば、チェーン１０６，１０６’の速度の２割アップ）設定されている。
従って、起立搬送手段Ａ２により積層起立状態で搬送される製品シートａは、支持板１０７ａ，１０７ａ’とベルトコンベア１０８，１０８’の上下差、および速度差により、積層製品シートの下端側が１枚づつ引き剥がし分離される。
【００２５】
上記分離手段Ａ３を構成する２本のベルトコンベア１０８，１０８’の駆動力は、前記起立搬送手段Ａ２の駆動スプロケット１０５の回転軸１０５ａよりプーリとベルトを用いた動力伝達機構１０９を用いて取り出し、プーリの径比により前記した増速を得ている。尚、分離手段Ａ３の駆動は前記起立搬送手段Ａ２と切り離して、独立した駆動源で駆動することは任意である。
【００２６】
又、起立搬送手段Ａ２の始端側上方位置に配置される空気吹き付け手段Ａ４は、積層起立状態で搬送される製品シートａの上端側を１枚づつに引き離すと共に、該製品シートａの表裏面に付着する紙粉を除去する。
そしてこの空気吹き付け手段Ａ４は、空気を噴出するノズル１１０が供給される製品シートａのサイズに応じて最適な位置から空気を吹き付けることが出来るようにするために、ボールネジ機構からなる移動機構１１０’で上下調節自在に支持されている。
また、この空気吹付け手段Ａ４は、紙粉を除去するために空気を吹き付けるが、この吹き付ける空気に、マイナスイオンを含ませることで静電気の除去効果が付与され、埃等が静電気で付着するのを防止できる。
【００２７】
従って、上記した空気吹き付け手段Ａ４で積層状態の製品シートａの上端側が１枚づつに引き離され、分離手段Ａ３で製品シートａの下側が１枚づつに引き離されることで、該製品シートａの表裏面に付着した紙粉、及び製品シートａ相互間に挟まれている打抜き屑は、起立搬送手段Ａ２下方に落下除去される。
【００２８】
又、前記起立搬送手段Ａ２内の分離手段Ａ３より下流側（搬送方向前方位置）には、該起立搬送手段Ａ２の搬送速度と同速度で回動する定速ベルトコンベア１１１，１１１’、及び前記分離手段Ａ４のベルトコンベア１０８，１０８’の速度と同じ速度で回動する増速ベルトコンベア１１２，１１２’が配置されている。この定速ベルトコンベア１１と増速ベルトコンベア１２の駆動力は、前記した分離手段Ａ３の回転力を利用し、ベルト動力伝達機構を介して駆動するように構成されている。
【００２９】
前記分離手段Ａ３が配置された起立搬送手段Ａ２の側方には、分離手段Ａ３で１枚づつに引き離した打抜き製品シートａを再度所定枚数整合整列させる整列手段Ａ５が配置されている。
整列手段Ａ５は、１枚づつに引き離され且つ起立状態で搬送される製品シートの幅方向の両側を、左右より挟んで整列させるもので、分離手段Ａ３のベルトコンベア１０８，１０８’による搬送面の左右両側に側板１２０，２０’が相対向して鉛直に起立配置されて構成されている。
【００３０】
上記整列手段Ａ５より下流側には、積層整列されて搬送される製品シートの左右端面及び上下端面に付着する紙粉を除去する紙粉除去手段Ａ６が配置されている。
紙粉除去手段Ａ６は、製品シートの左右端面に付着した紙粉を除去する左右端面除去部Ａ６―１と製品シートの下端面に付着した紙粉を除去する下端面除去部Ａ６―２と製品シートの上端面に付着した紙粉を除去する上端面除去部Ａ６―３とで構成されている。そして、それらは搬送方向に向かい左右端面除去部Ａ６―１、下端面除去部Ａ６―２、上端面除去部Ａ６―３の順で配置されている。
【００３１】
上記の除去手段は、表面（製品シートの端面と対向する面）が凹凸粗面を呈した弾性摩擦片（例えばゴム研磨布）１１３を小幅短冊状に形成し、これがベース材１１４に対し多段状に取り付けられている。そして、弾性摩擦片１１３を取り付けたベース材１１４の他端部は、製品シートａが案内されるように末広状に拡開され、更に過大な負荷がベース材に作用した時、該ベース材１１４が移動するように保持部材１１５に対して弾発移動可能に支持されている。又、前記保持部材１５は、モータ１１６ａとボールネジ機構１６ｂで構成された左右と上下の移動手段１１６に取り付けられ、製品シートａのサイズに応じて位置調節し得るように構成されている。
【００３２】
上記構成により、積層状態で搬送される製品シートａは、弾性摩擦片１１３との接触で左右側端面、下側端面、及び上側端面が擦られ、該端面に付着した紙粉が除去される。しかも、その弾性摩擦片１３は小幅短冊状であるため、製品シートの外周形状に的確に対応し、凹凸面を確実に擦って紙粉を除去する。尚、移動手段１１６の調節は、その都度、製品シートａのサイズに応じて操作部より入力して行ってもよいが、処理する製品シートのサイズ情報を事前に入力設定して制御するようにしてもよい。
【００３３】
前記紙粉除去手段Ａ６で除去した紙粉等は起立搬送手段Ａ２下方に落下するため、その紙粉及び前記した分離手段Ａ３で製品シート間から落下する打抜き屑（紙片）、糸状屑を集積する集塵装置１７が、後述する定置式屑・紙粉除去装置Ａ”の下側に亘って配置されている（図６参照）。
その集塵装置１１７は、上段に配置したパンチングメタル１１８とスクレーパ１１９とからなる打抜き屑等の紙片を集める紙片集塵部１１７ａと、前記パンチングメタル１１７ａを通り抜けて下側に落下する紙粉や糸状屑を１箇所に集めるブロワ―からなる紙粉集塵部１１７ｂとで構成され、それぞれの集塵部１１７ａ，１１７ｂで集めた打抜き屑、紙粉、糸状屑は別々に吸塵処理するように構成されている。
【００３４】
そして、前記紙粉除去手段Ａ６を通過することで外周端面に付着する紙粉や糸状屑が除去された製品シートは、起立搬送手段Ａ２と該起立搬送手段Ａ２の終端側に配置した増速ベルトコンベア１２で一時的にばらして再度積層し、起立搬送手段Ａ２の製品シート支持杆７，７’で起立状態から水平状態に姿勢が変更され、搬出手段Ａ７に移乗される。
【００３５】
搬出手段Ａ７は、前記した水平搬入手段Ａ１と同様、細幅のタイミングベルトを複数本（図面は２本）、ベルトの幅方向に間隔をおいて平行に架設したベルトコンベアで、前記起立搬送手段Ａ２におけるチェーンの従動スプロケット１０４’に近接させて片持ち状態で水平に設置されている。この搬出手段Ａ７は、製品シートの外周面（端面）に付着する紙粉や糸状屑の除去を完了した製品シートａ’を水平積層状態で搬出するもので、紙粉や糸状屑の除去のみでよければ、搬出手段Ａ７から搬出された製品シートａ’をパレットに積載して次の工程、例えば製函工程に送られる。尚、製品シートａが、内部に各種形状の孔、溝等が打抜き形成されたものである場合は、その製品シートの内部に形成された孔や溝を打抜き、且つその打抜き部に付着する紙粉や糸状屑を除去する定置式屑・紙粉除去装置Ａ”を、連続して処理し得るように連設配置することができる。
【００３６】
図７は紙粉・打抜き屑除去装置の第２実施例を示す概略図で、紙粉・糸状屑除去装置の搬出側に、打抜き屑除去装置が連続処理可能状態に配置されて構成されている。
紙粉・糸状屑除去装置Ａ’は、打抜き機（図示省略）からバッチ搬出される打抜き製品シートａを受け取り本装置に移送搬入する水平搬入手段Ａ１’と、前記搬入手段Ａ１’で水平搬入された製品シートａを起立状態に変換して搬送する起立搬送手段Ａ２’と、その起立搬送手段Ａ２’の前半部に配置し、搬送される製品シートを１枚づつに分離する分離手段Ａ３’と、分離した打抜き製品シートに対して空気を吹き付けて該製品シートの表裏面に付着する紙粉を除去する空気吹付け手段Ａ４’と、１枚づつに分離した製品シートを所定枚数接合整列させる整列手段Ａ５’と、整列した製品シートを上下振動させて製品シート間に混入する打抜き屑を落下除去させる製品振動手段Ａ８と、整列した製品シートの左右及び上下の各端面に付着する紙粉を吸引する紙粉吸引手段Ａ６’と、紙粉及び打抜き屑を除去した製品シートを水平積層状態に変換して搬出する搬出手段Ａ７’とで構成され、前記した水平搬入手段Ａ１〜搬出手段Ａ７’はケース１内に収容されている。
【００３７】
水平搬入手段Ａ１’は、細幅のタイミングベルトを複数本（図面は４本）、ベルトの幅方向に間隔をおいて平行に架設した平面略櫛歯形状のベルトコンベアで、ケース１の一側に開設した搬入口２に臨んで片持ち状態で水平に設置されている。尚、水平搬入手段Ａ１’の手前側には打抜き機の搬出口からバッチ搬出される打抜き製品シートが本装置の前記水平搬入手段へスムーズに乗り移り移行するようにローラ３が設置されている。
そして、この水平搬入手段Ａ１’に供給される打抜き製品シートは、シートに施された印刷面を下側に向けて搬入される。
【００３８】
前記水平搬入手段Ａ１’によって水平搬送される積層状態の製品シートは、紙粉・糸状屑等を除去する為に起立状態に姿勢を変換して搬送する。その姿勢の変換は水平搬入手段Ａ１’の下流側に近接配置した起立搬送手段Ａ２’によって行なわれる。
その起立搬送手段Ａ２’は、駆動プーリ４と従動プーリ４’とに亘って巻回した複数本（図面は８本）のＶベルト５と、前記駆動プーリ４及び従動プーリ４’の各軸に固定した駆動スプロケット１８と従動スプロケット１９に亘って２本のチェーン６，６’を巻回し、そのチェーン６，６’の外周面に等間隔をおいて起立固定した製品シート支持杆７，７’とで構成されている。
【００３９】
駆動プーリ４と従動プーリ４’とに亘って巻回する複数本（８本）のＶベルト５は、製品シートの下端面を支持して水平搬送するもので、製品シートの幅方向を複数本（８本）のＶベルト５で安定よく支持し得るように構成されている。
製品シート支持杆７，７’を固着したチェーン６，６’は、前記した水平搬入手段Ａ１を構成する複数本のタイミングベルトの間に位置するように配置し、そのチェーン６，６’の外周面に、所定の長さを有した製品シート支持杆７，７’が該チェーンの回動方向に沿って等間隔をおいて起立固定されている。それにより、チェーン６，６’の回動により製品シート支持杆７，７’は水平搬入手段Ａ１’を構成する並設されたタイミングベルトの間を下から上へと回動通過する。この水平搬入手段Ａ１’の搬送面から上方に回動しながら突出する時、水平搬入手段Ａ１’上に支持された製品シートは該製品シート支持杆７，７’で持ち替えられ、製品シートａの搬送方向先端側がＶベルト５との接触点を支点として上方に起立回動される。即ち、Ｖベルト５と製品シート支持杆７，７’を起立固着したチェーン６，６’の働きで、水平搬入された製品シートはチェーン６，６’に起立固着した回動方向に沿う製品シート支持杆７，７、７’，７’間に略鉛直状に支持され、Ｖベルト５の回動で起立状態のまま前方に向けて搬送される。
【００４０】
前記製品シート支持杆７，７’は、前記水平搬入手段Ａ１’で水平搬送される積層状態の製品シートａの搬送方向の長さに対して少なくとも半分以上の長さを有し、それにより水平状態の製品シートの最下部を支えて起立反転し得るように構成されている。尚、製品シート支持杆７，７’はチェーン６，６’の一周面上に各１２本が等間隔に配置され、且つチェーン６，６’の製品シート支持杆７，７’は同一線上に位置するように配置されている。
【００４１】
又、前記した起立搬送手段Ａ２’の前半部には、積層して起立搬送される製品シートａを１枚づつに分離する分離手段Ａ３’が配置されている。
この分離手段Ａ３’は、前記起立搬送手段Ａ２’における駆動プーリ４と、該起立搬送手段Ａ２’のフレーム８に起立固着した補助フレーム８’に架設した小プーリ９に亘って巻回した複数本の搬送ベルト１０と、その複数本の搬送ベルト１０の搬送面より上方に突出させて前記補助フレーム８’に架設した駆動ローラ１１，１２とで構成され、駆動ローラ１１，１２の周速度は搬送ベルト１０の速度より速く設定されている。即ち、搬送ベルト１０の搬送面と駆動ローラ１１，１２の上下方向の段差及び両者の速度差により積層起立状態の製品シートは、１枚づつに引き剥がし分離される。
【００４２】
前記搬送ベルト１０は、起立搬送手段Ａ２’のフレーム８に支持された駆動プーリ４と、前記フレーム８に起立固着した補助フレーム８’に架設した小プーリ９に亘って巻回して、起立搬送手段Ａ２’のＶベルト５の搬送面より搬送方向前方に向かって上向きの傾斜面となるように構成されている。この搬送ベルト１０の駆動は駆動プーリ４の回転によって行なわれる。
【００４３】
又、前記搬送ベルト１０の搬送面より上方に突出させて架設した駆動ローラ１１、１２の回転力は、前記小プーリ９の軸に固着した歯車１３と駆動ローラ１１、１２の軸に固着した歯車１４、１５を中間歯車１６，１７を介して連結し、この歯車列によって前記駆動ローラ１１、１２が駆動回転すると共に、該駆動ローラ１１、１２の回転方向は搬送ベルト１０の搬送方向と同方向となるように構成されている。
【００４４】
前記分離手段Ａ３’の上方位置と下方位置には、該分離手段Ａ３’で１枚づつに引き離した製品シートの表・裏面に対して上下方向から空気を吹き付けて該製品シートの表裏面に付着する紙粉を除去する空気吹付け手段Ａ４’が配置されている。
この空気吹付け手段Ａ４’は、分離手段Ａ３’を構成する駆動ローラ１１，１２の略真上位置と略真下位置（裏側位置）に配置した空気を吹き出すエアーノズル２０，２１で構成され、そのノズルの噴射方向は所定の範囲内において可変可能に構成されている。
又、この空気吹付け手段Ａ４’は、紙粉を除去するために空気を吹き付けるが、この吹き付ける空気に、マイナスイオンを含ませることで静電気の除去効果が付与され、埃等が静電気で付着するのを防止できる。
【００４５】
また、前記分離手段Ａ３’より下流側位置の側方には、分離手段Ａ３’で１枚づつに引き離した打抜き製品シートａを再度所定枚数整合整列させる整列手段Ａ５’が配置され、その整列手段Ａ５’で整列した打抜き製品シートを上下振動させる製品振動手段Ａ８が前記起立搬送手段Ａ２’のＶベルト５の搬送面に配置されている。
整列手段Ａ５’は、１枚づつに引き離され且つ起立状態で搬送される製品シートの幅方向の両側を、左右より挟んで整列させるもので、起立搬送手段Ａ２’のＶベルト５による搬送面の左右両側に側板２２，２２’が相対向して鉛直に起立配置されて構成されている。尚、整列手段Ａ５’を構成する左右一対の側板２２，２２’は夫々１枚板で構成してもよいが、該側板を前記起立搬送手段Ａ２’の搬送方向に沿って夫々複数枚（例えば２枚）で構成し、その内の一部を幅方向に可動するように構成してもよい。
【００４６】
製品振動手段Ａ８は、前記起立搬送手段Ａ２’の搬送面を構成する複数本のＶベルト５の下側に、パンチングメタルで構成した振動板２３を配置して構成され、その振動板２３は振動モータで上下振動される。この製品振動手段Ａ８の作動により、製品シート間に混入する打抜き屑或いは前記空気吹き付け手段Ａ４’の作用で落下しなかった紙粉等が製品シートから振り落とされる。
【００４７】
前記製品振動手段Ａ８が配置された位置の左右両側及び上下位置には、整列して搬送される製品シートの左右端面及び上下端面に付着する紙粉を吸引する紙粉吸引手段Ａ６’が配置されている。
紙粉吸引手段Ａ６’における製品シートの左右端面に付着する紙粉や糸状屑を吸引する左右吸引手段ａ６は、製品シートの左右端面における全長をカバーし得る長さ（高さ）を有した左右一対の吸引口２４と、その吸引口２４内に配置され製品シートの端面に当接する回転ブラシ２５とで構成され、前記吸引口２４はダクトを介して吸引装置（図示省略）に接続されている。
又、左右吸引手段ａ６の吸引口２４は、製品シートの横幅に対応するように、幅調節機構２６に取付けられている。
【００４８】
幅調節機構２６は、ネジ杆２６ａとガイド杆２６ｂ及びこれらに係合する可動枠２６ｃからなるボールネジ機構で構成され、その可動枠２６ｃに左右吸引手段ａ６が固着されている。そして、前記ネジ杆２６ａの回転は、ブレーキ付ギアモータ２６ｄの回転をチェーンや歯付きベルト等の動力伝達手段を介してネジ杆に伝達して行なわれる。それにより、ネジ杆２６ａがブレーキ付ギアモータ２６ｄで回転されると、該ネジ杆２６ａに係合する可動枠２６ｃはガイド杆２６ｂに沿ってスライドされる。従って、供給される製品シートの横幅に応じて幅調節機構２６が作動し、左右の吸引手段ａ６の間隔が調整される。尚、幅調節機構２６の作動は、その都度、製品シートの幅に応じて操作部より入力して行なってもよいが、処理する製品シートの幅寸法に関する情報を事前に入力設定して制御するようにしてもよい。
【００４９】
製品シートの上下端面に付着する紙粉や糸状屑を吸引する上下吸引手段ａ６’は、前記した起立搬送手段Ａ２’におけるＶベルト５の終端手前位置の上方位置と、従動プーリ４’より手前位置のＶベルトの下側位置に配置した吸引口２７，２７’で構成され、その吸引口２７，２７’はダクトを介して吸引装置に接続されている。
又、吸引口２７，２７’は供給される製品シートの横幅全長をカバーし得る横幅を有しており、且つ吸引口は吸引力が効果的に作用するように幅狭く形成されている。そして、少なくとも上側の吸引手段ａ７’は、起立搬送される製品シートａの高さに応じて上下方向に移動調整できるように構成されている。その移動調整機構としては、例えばボールネジ機構を採用する。
更に、上下吸引手段ａ６’を構成する吸引口２７，２７’の口縁には搬送方向に向けてシート押え２８，２８’が取り付けられると共に、その上下のシート押え２８，２８’は両部材の間隔が搬送方向に向けて狭くなるように夫々対向側に向けて傾斜形成されている。それにより、前記上下吸引手段ａ６，ａ６’により製品シートの上下端面に付着する紙粉や糸状屑が吸引除去された製品シートは、上下のシート押え２８，２８’のバネ作用で２５枚〜５０枚が滞留保持され、一括して整列される。そして、外周端面に付着する紙粉や糸状屑が除去された製品シートは、前記した起立搬送手段Ａ２’のＶベルト５と製品シート支持杆７，７’で起立状態から水平状態に姿勢が変更され、搬出手段Ａ７に移乗されて定置式屑・紙粉除去装置Ａ”に送り込まれる。
【００５０】
搬出手段Ａ７’は、前記した水平搬入手段Ａ１’と同様、細幅のタイミングベルトを複数本（図面は４本）、ベルトの幅方向に間隔をおいて平行に架設した平面略櫛歯形状のベルトコンベアで、前記起立搬送手段Ａ２’におけるＶベルト５の従動プーリ４’に近接させて片持ち状態で水平に設置されている。この搬出手段Ａ７’は、製品シートの外周面（端面）に付着する紙粉や糸状屑の除去を完了した製品シートａ’を水平積層状態で搬出するもので、紙粉や糸状屑の除去のみでよければ、搬出手段Ａ７’から搬出された製品シートａ’をパレットに積載して次の工程、例えば製函工程に送られる。尚、図示の実施の形態は、製品シートａが、内部に各種形状の孔、溝等が打抜き形成したものであるため、その製品シートの内部に形成された孔や溝を打抜き、且つその打抜き部に付着する紙粉や糸状屑を除去する定置式屑・紙粉除去装置Ａ”を、連続して処理し得るように連設配置されている。
【００５１】
定置式屑・紙粉除去装置Ａ”は、製品シートａ’を載置するシート載せ枠２９と、そのシート載せ枠２９に移乗載置した製品シートａ’の内部に形成された打抜き部に対応する押し出し具３１を垂下取り付けた押し出し板３０を水平に支持して上下昇降する取付枠３２と、前記シート載せ枠２９上に載置される製品シートａ’を位置決めする前側ストッパ３３、左右幅寄せストッパ３４、及び後側ストッパ３５と、屑打抜きを完了した製品シートａ’にエアーを吹き付けて紙粉等を除去するエアーブロー装置３６、及び製品シートａ’を搬送する搬送コンベア３７とで構成されている。
【００５２】
前記製品シートａを載置するシート載せ枠２９は、製品シートａの内部に形成される各種形状の溝部や孔部の屑を打抜く押し出し具が貫通し得ると共に、該押し出し具で押し出された屑が落下する開口を備えたものであればよく、例えば製品シートにおける溝部や孔部を開口した雌型、或いは格子状や平行な桟状に形成した枠でもよく、そのシート載せ枠２９は着脱可能に支持されている。
【００５３】
上記シート載せ枠２９の上方に配置される押し出し板３０は、製品シートａの形状に応じて押し出し具３１を適宜垂下支持し得るように構成され、製品シートに応じて押し出し具３１を付け替え変更する。そして、押し出し板３０を支持する取付枠３２は、エアーシリンダ３８ａとガイド杆３８ｂで構成された昇降機構３８で上下動自在に支持されている。
【００５４】
押し出し板３０に垂下取り付けられる押し出し具３１は、押し出し板３０に取り付ける為の支柱３１ａと、その支柱３１ａの先端に取り付けられる各種形状の押出し片（円板、帯板、丸棒等）３１ｂとで構成され、押し出し板３０に対する取り付けはネジ構造からなるクランプ手段、或いは磁力を利用したマグネット吸着等、適宜選択し得る。
又、前記押し出し具３１は、打抜き屑を押し出し排出する機能に加えて、その打抜き口縁に付着する紙粉を吹き飛ばす機能を付加してもよい。その場合は、図１６に示すように押し出し具３１における押出し片３１ｂの内部にエアー通路３９を形成し、更に押出し片３１ｂの先端付近（先端周囲）に前記エアー通路３９と連絡する吹出し口４０を開設する。それにより、打抜き口縁に付着している紙粉をエアーで吹き飛ばし、除去することが出来る。
また、前記した押し出し具３１は、打抜く溝部、孔部の数が少ない製品シートの場合はパンチングボード等に手作業でセッティングし、打抜く溝部、孔部の数が多い製品シートの場合は押し出し板３０に雄型様に組み付けて使用する等、何れでもよい。
【００５５】
シート載せ枠２９上の所定位置に製品シートａを位置決め載置する前側ストッパ３３は、搬送コンベア３７で搬送される製品シートａをシート載せ枠２９上に定着する場合の基準となる前側の停止位置を決定するもので、通常はシート載せ枠２９より下側に退避しており、製品シートａがシート載せ枠２９上へ搬送されるのに先立って上昇が開始され、シート載せ枠２９より上方に突出される。この前側ストッパ３３の上下動は、エアーシリンダ４１によって行なわれる。
【００５６】
又、前記前側ストッパ３３で前側位置が規制された製品シートａの左右幅方向の位置を決める左右幅寄せストッパ３４は、左右のストッパ板が幅方向の中心に対して均等に接近／離反するように構成され、それにより左右方向に突出している製品シートが整えられる。この左右幅寄せストッパ３４はボールネジ機構でスライドする。
更に、後側ストッパ３５は、所定位置に停止され、且つ幅方向の不揃いが前記左右幅寄せストッパ３４で整えられた積層の製品シートａの後側の不揃いを整えるもので、常時（製品シートが後側ストッパの位置を通過するまで）は搬送コンベアの下側に格納保持され、必要時にコンベアの搬送面より上方に起立突出すると共に、その起立突出状態のままで製品シートの後端側に前進し、後端の不揃いを修正する。
前記後側ストッパ３５の駆動機構としては、該ストッパを搬送コンベアに対して出没させる動作はエアーシリンダ４２で行ない、突出したストッパを前後スライドさせる動作はボールネジ機構４３で構成されている。尚、後側ストッパ３５の駆動機構は前記した図示の構成に限定されず、前記した動作が可能であれば他の機構でも勿論可能である。
【００５７】
前記した定置式屑・紙粉除去装置Ａ”で、製品シートａ’に残存する打抜き屑及び紙粉除去が完了した製品シートは、搬送コンベアで機外に搬出されるが、機外に搬出される直前に、強力なエアーブロー装置３６によりエアーを吹付けて残存付着する紙粉が除去される。尚、このエアーブローと同時に、イオン発生器４４よりマイナスイオンを噴射することで静電気を除去し、製品シートに埃等が付着し難くすることができる。
【００５８】
上記した一連の装置は、本装置に供給される製品シートａが印刷面を下側に向けて搬入された場合に、搬出時は印刷面を上側に向けて搬出され、そのままパレットに積んで次の工程に搬送される。しかしながら、本装置に搬入される製品シートが印刷面を上側に向けて搬入された場合は、本装置から搬出される時製品シートは印刷面が下側となり、次工程に移すには製品シートを反転させる必要がある。この反転動作は、紙粉除去後に行なってもよいが、その場合、別途反転装置に掛けなければならず、手数がかかる。その為、本装置は、打抜き機から本装置に搬入される製品シートａが、印刷面を上側に向けて搬入された場合は、起立搬送手段Ａ２’に移行させる段階で反転させ、後は前記した各手段の作動で紙粉、打抜き屑の除去を行ない、印刷面を上側に向けて本装置から搬出するようにする。
その為に、前記した水平搬入手段Ａ１’と起立搬送手段Ａ２’との間に、反転機構Ａ９を設置する。
【００５９】
反転機構Ａ９は、図１７に示すように積層製品シートａを水平搬送する水平搬入手段Ａ１’を、その搬送方向先端側を下向きに回動する倒伏手段のエアーシリンダ４５と、下向きに傾けた時載乗する製品シートａが該水平搬入手段Ａ１’から落下するのを防止する受枠４６と、下向き傾斜状に傾いた水平搬送手段Ａ１’上に前記受枠４６で保持されている積層製品シートａを起立搬送手段Ａ２’の製品シート支持杆７，７’上に倒して反転載せかえる押出し手段の押し倒し部材４７とで構成されている。
前記実施例における水平搬入手段Ａ１’は片持ち状で水平に固定されていたが、この場合は始端側を中心に回動可能に支持し、倒伏手段のエアーシリンダ４５で水平状態に吊下げ支持されている。
又、押出し手段の押し倒し部材４７は、水平搬入手段Ａ１’上に支持された製品シートを、該水平搬入手段Ａ１’の搬送面から離反させて倒す為、水平搬入手段Ａ１’を構成する平行なベルト相互間に嵌合して回動するように構成されている。その押し倒し部材４７を回動させる構造は、該押し倒し部材４７の長手方向の下側１／３の位置を回動可能に支持し、押し倒し部材４７の下端をエアーシリンダ４８のロッド先端に連結する。そして、エアーシリンダ４８を作動させると、押し倒し部材４７は軸支部を中心として回動し、水平搬入手段Ａ１’上の製品シートａを起立搬送手段Ａ２’の製品シート支持杆７，７’上に倒すことが出来る。それにより、起立搬送手段Ａ２’の製品シート支持杆７，７’上に支持される製品シートは、印刷面が搬送方向と逆の方向を向いて搬送され、前記した実施例と同様の起立搬送形態となり、印刷面が上向きで搬出されることになる。
【００６０】
図１８は反転機構Ａ９の他の実施例を示し、前記した第１実施例における水平搬入手段Ａ１に組み合わせ配置した構成を示す。
その反転機構Ａ９’は、ラックとピニオンを利用した回動機構５１で水平状態から下向き傾斜状態までの範囲を回動する水平搬入手段Ａ１の下側に、エアーシリンダ４９で前後動する押出し部材５０を、水平搬入手段Ａ１のベルト間に嵌入配置する。そして、両者を図示する如く作動することで製品シートａを表裏反転して起立搬送手段Ａ２に載せ代えることができる。
即ち、（ａ）に示すように、製品シートａを載承した水平搬入手段Ａ１を回動機構５１で下向きに傾動する。前記傾動が完了した後又は傾動の終盤に、前記押出し部材５０を前進させて、（ｂ）に示すように製品シートａを起立搬送手段Ａ２側に倒す。押出し部材５０により押し倒された製品シートａは、（ｃ）に示すように起立搬送手段Ａ２側に配置固定した支え枠５２と水平搬入手段Ａ１で支えられる。そして、起立搬送手段Ａ２の製品シート支持杆１０７の回動で前記製品シートａは該製品シート支持杆１０７で起こされると共に、水平搬入手段Ａ１の水平復帰動作で、（ｄ）の如く起立搬送手段Ａ２側に移乗される。
【発明の効果】
本発明の段ボールの紙粉・打抜き屑除去方法は請求項１に記載の構成により、打抜き機からバッチ搬出される製品シートの外周及び製品シートの内部に存在する溝や孔等に付着する紙粉や糸状屑を連続搬送しながら確実に除去できる方法を提供できる。
又、請求項２記載の構成により、積層状態の製品シート各々にマイナスイオンを吹き付けて静電気を除去でき、それにより埃が付着しにくい状態に仕上げることができる。
更に、請求項３記載の構成により、印刷面が上向きで搬入されても反転して処理することで、処理完了後は印刷面を上向きで搬出できる。それにより、次工程への移行をスムーズに行なうことが出来る。
【００６１】
又、上記方法を実施する紙粉・打抜き屑除去装置は請求項４記載の構成により、製品シートの外周に付着する紙粉や糸状屑、及びシート相互間に挟まれている打抜き屑や紙粉を連続搬送しながら確実に除去することが出来る。
そして、請求項５記載の構成により、水平積層状態で搬送する製品シートを、自動的に起立状態に変換して搬送できる。
又、請求項６、７記載の構成により、積層状態で搬送される製品シートを１枚ずつに確実に分離でき、因って製品シート間に挟まれている打抜き屑、糸状屑や紙粉を除去することが出来る。
更に、請求項８記載の構成により、製品シートの上下端面及び左右端面に付着する紙粉や糸状屑を確実に摺擦除去することが出来る。
又、請求項９記載の構成により、製品シートの上下端面及び左右端面に付着する紙粉や糸状屑を確実に吸引除去することが出来る。
そして、請求項１０記載の構成により、前記した紙粉除去手段を製品シートのサイズに合わせて移動調整できる為、各種サイズに幅広く対応することが出来る。
又、請求項１１、１２記載の構成により、搬入される製品シートが印刷面を上向きにして搬入されても、起立搬送手段に移乗させる段階で反転して移乗できる為、最終の搬出形態は通常と同じ状態（印刷面が上向き）で搬出できる。因って、紙粉除去後に反転装置に掛ける必要がなくなり、作業性を向上できる。
また、請求項１３記載の構成により、製品シートの内部に存在する溝部や孔部の打抜き屑が溝部や孔部に残っていても、それらを確実に打抜き且つ口縁に付着する紙粉や糸状屑をブロー除去することが出来る。因って、製品シートの内部に各種形状の打抜き部が存在するシートでも、外周及び内部とも確実に紙粉、糸状屑を除去することが出来る装置を提供できる。
【図面の簡単な説明】
【図１】本発明の紙粉・打抜き屑除去装置の第１実施例を示す概略図である。
【図２】同一部切欠平面図である。
【図３】分離手段部分の拡大側面図である。
【図４】紙粉除去手段による紙粉除去動作を示す説明図で、（ａ）は製品シートの端面が弾性摩擦片に摺擦する前の状態、（ｂ）は摺擦状態を示す図である。
【図５】紙粉除去手段に対する製品シートの摺擦状態を示す説明図である。
【図６】紙粉・糸状屑除去装置Ａと定置式屑・紙粉除去装置Ａ”とに亘って集塵装置を配置した該略図である。
【図７】本発明に係る紙粉・屑除去装置の第２実施例を示す概略側面図である。
【図８】同平面図である。
【図９】起立搬送手段から搬出手段までの構成を示す拡大図である。
【図１０】分離手段部分を示す拡大平面図である。
【図１１】同側面図である。
【図１２】分離手段で個々に引き離された製品シートに空気を吹き付けて紙粉を除去する状態を示す側面図である。
【図１３】（ａ）は製品シートを振動させて屑を落下させると共に、紙粉を吸引除去する状態をしめす側面図、（ｂ）は（ａ）図における吸引手段部分の拡大横断面図である。
【図１４】製品シートの上下端面に付着する紙粉を吸引除去して水平搬出する動作を示す拡大側面図である。
【図１５】定置式屑・紙粉除去装置Ａ”の概略を示す説明図である。
【図１６】定置式屑・紙粉除去装置Ａ”における押し出し具の変形例を示す拡大断面図である。
【図１７】反転機構を示す概略図で、（ａ）は搬入手段に製品シートが載置された状態図、（ｂ）は搬入手段が下向きに傾倒した状態図、（ｃ）は製品シートを押出し手段によって搬入手段上から起立搬送手段の製品シート支持杆へ反転移乗させる状態図である。
【図１８】前記した第１実施例の反転機構を示す概略図で、（ａ）は製品シートを載置した搬入手段が下向きに傾斜した状態図、（ｂ）は搬入手段の下向き傾斜に対し押出し手段が前進して前方に押し倒す状態図、（ｃ）は製品シートを押出し手段によって起立搬送手段の製品シート支持杆側へ倒した状態図、（ｄ）は起立搬送手段の回動と搬入手段の水平復帰動作で反転移乗させる状態図である。
【符号の説明】
Ａ，Ａ’…紙粉・糸状屑除去装置      Ａ”…定置式屑・紙粉除去装置
Ａ１…搬入手段                  Ａ２…起立搬送手段
Ａ３…分離手段                  Ａ４…空気吹付け手段
Ａ５…整列手段                  Ａ８…製品振動手段
Ａ７…紙粉除去手段              Ａ７…搬出手段
７，７’…製品シート支持杆            ａ…製品シート
ａ’…紙粉・糸状屑除去装置から搬出される製品シート
【図１】
2004216478.tif 000003
【図２】
2004216478.tif 000004
【図３】
2004216478.tif 000005
【図４】
2004216478.tif 000006
【図５】
2004216478.tif 000007
【図６】
2004216478.tif 000008
【図７】
2004216478.tif 000009
【図８】
2004216478.tif 000010
【図９】
2004216478.tif 000011
【図１０】
2004216478.tif 000012
【図１１】
2004216478.tif 000013
【図１２】
2004216478.tif 000014
【図１３】
2004216478.tif 000015
【図１４】
2004216478.tif 000016
【図１５】
2004216478.tif 000017
【図１６】
2004216478.tif 000018
【図１７】
2004216478.tif 000019
【図１８】
2004216478.tif 000020